(57)【要約】【課題】  面白みや斬新さのある新規な見栄えを演出することが可能な計器装置を提供する。【解決手段】  第１の筐体１１０と第２の筐体１２０との間に形成される内部空間Ｔに収容される表示手段Ｃを備え、第１の筐体１１０は、表示手段Ｃを透視可能とする透視部１１１と、この透視部１１１の周囲に設けられる不可視部１１２とを有し、内部空間Ｔ側となる透視部１１１の背面及び内側周壁部１１２ｃ（不可視部１１２）の内壁部Ｆには防曇膜１３０が形成されている。また表示手段Ｃは、指針４０の指示対象となる複数個の凸部６２を有する透光部材６０と、凸部６２に対応して開口形成された複数個の貫通部５４を有する表示板５０とを備える。【選択図】図２
2019184383.tif 000002
【特許請求の範囲】
【請求項１】
第１の筐体と第２の筐体との間に形成される内部空間に収容される表示手段を備え、
前記第１の筐体は、前記表示手段を透視可能とする透視部と、前記透視部の周囲に設けられる不可視部とを有し、
前記内部空間側となる前記不可視部の内壁部には防曇膜が形成されていることを特徴とする計器装置。
【請求項２】
前記表示手段は、指針の指示対象となる指標部を有する表示板を少なくとも備えることを特徴とする請求項１記載の計器装置。
【請求項３】
前記表示手段は、指針の指示対象となる複数個の凸部を有する透光部材と、前記凸部に対応して開口形成された複数個の貫通部を有する表示板とを少なくとも備えることを特徴とする請求項１記載の計器装置。
【発明の詳細な説明】
【技術分野】
【０００１】
本発明は、例えば自動車や自動２輪車等の車両に搭載される計器装置に関するものである。
【背景技術】
【０００２】
従来より、この種の計器装置にあっては、例えば下記特許文献１に記載されているものが知られている。この特許文献１に記載の計器装置は、車両に搭載された指針式計器であり、回路基板に回転軸が突設された指針駆動部（例えばステッピングモータ）を装着するとともに当該回転軸の先端に指針を装着し、指針の作動範囲に対応して複数配列される透光性の目盛からなる指標部とこれら指標部の背景となる黒色の背景部とを有する表示板を指針の背後に配置し、回路基板に実装された光源からの光により、表示板の指標部を透過照明する構成となっている。
【０００３】
また、このような計器装置は、その外装ケースを構成する計器ハウジングを備え、計器ハウジングは、主に表示板の前方側を覆う樹脂製の第１の筐体と、主に回路基板の背後側を覆う樹脂製の第２の筐体とで構成される。つまり、ここでの指針と表示板とで構成される指針式表示部（表示手段）は、第１の筐体と第２の筐体との間に形成される内部空間に収容され、また第１の筐体は、表示手段（つまり指針や指標部）を透視可能とする透明な透視部と、この透視部の周囲に設けられる黒色樹脂部（不可視部）とを有している。
【先行技術文献】
【特許文献】
【０００４】
【特許文献１】特開２００２−２９６０７７号公報
【発明の概要】
【発明が解決しようとする課題】
【０００５】
ところで、特許文献１に記載の計器装置では、計器装置を視認する視認者から表示板を見たときに、光源からの光によって照明される指標部と当該指標部の背景となる黒色の背景部とで構成される表示板全体の見栄えが単調であり、面白みに欠けるものであった。
そこで本発明は、前述の課題に対して対処するため、面白みや斬新さのある新規な見栄えを演出することが可能な計器装置の提供を目的とするものである。
【課題を解決するための手段】
【０００６】
本発明は、第１の筐体と第２の筐体との間に形成される内部空間に収容される表示手段を備え、前記第１の筐体は、前記表示手段を透視可能とする透視部と、前記透視部の周囲に設けられる不可視部とを有し、前記内部空間側となる前記不可視部の内壁部には防曇膜が形成されていることを特徴とする。
【０００７】
また本発明は、前記表示手段は、指針の指示対象となる指標部を有する表示板を少なくとも備えることを特徴とする。
【０００８】
また本発明は、前記表示手段は、指針の指示対象となる複数個の凸部を有する透光部材と、前記凸部に対応して開口形成された複数個の貫通部を有する表示板とを少なくとも備えることを特徴とする。
【発明の効果】
【０００９】
本発明によれば、所期の目的を達成でき、面白みや斬新さのある新規な見栄えを演出することが可能な計器装置を提供できる。
【図面の簡単な説明】
【００１０】
【図１】本発明の第１実施形態による計器装置の要部正面図。
【図２】図１のＡ−Ａ断面図。
【図３】同実施形態による計器装置の要部拡大断面図。
【図４】同実施形態の変形例による計器装置の要部断面図。
【発明を実施するための形態】
【００１１】
以下、図１〜図３に基づいて、本発明の実施形態を車両に搭載された車両用計器に適用した場合を例に挙げて説明する。なお、以下の説明では、車両用計器（計器装置）を正視（視認）する視認者側を前方側とし、当該視認者側とは反対側である反視認者側を背後側とする。
【００１２】
図１、図２において、本実施形態による計器装置としての車両用計器Ｄは、例えば速度計であり、回路基板１０と、この回路基板１０に導通装着され回転軸２０が前方に延びる駆動装置３０と、回転軸２０の先端側に装着される指針４０と、この指針４０と回路基板１０との間に配置される表示板５０と、その一部である後述する凸部が表示板５０の前方側に飛び出すように設けられる透光部材６０と、指針４０を照明する指針用光源７０と、表示板５０を照明する表示用光源８０と、表示板５０と回路基板１０との間に配置されるケース部材９０と、車両用計器Ｄの外装ケースを構成する計器ハウジング１００とから主に構成されている。
【００１３】
回路基板１０は、例えばガラスエポキシ系基材に配線パターン（図示せず）を施した硬質回路基板からなり、指針用光源７０と、表示用光源８０と、駆動装置３０の駆動・制御を行う駆動手段（図示せず）と、抵抗、コンデンサ等の各種回路部品（図示せず）とが前記配線パターンに導通接続されている。
【００１４】
駆動装置３０は、ステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１５】
指針４０は、透光性の合成樹脂からなり、回転軸２０の先端に連結され、その回転中心部には遮光性カバーが装着されている。そして、この指針４０は指針用光源７０からの照明光を受けて発光する発光式指針である。
【００１６】
表示板５０は、指針４０の作動範囲に沿った円弧状の配列形状を有し、指針４０の指示対象となる複数個の速度数字からなる指標部５１と、この指標部５１の背景を形成する遮光層からなる背景部５２とが設けられている。
【００１７】
これら指標部５１並びに背景部５２は、指標部５１が例えば白色の透光性インクにより、背景部５２が例えば黒色の遮光性インクにより、それぞれ表示板５０の母材となる薄板状からなる光透過性の基板５３の表面に印刷形成される。
【００１８】
また、指標部５１の外側となる背景部５２箇所には、所定の間隔を有して略矩形状に開口形成される貫通孔からなる複数個の貫通部５４が設けられている（図１、図３参照）。これら複数個の貫通部５４は、複数個の指標部５１に対応するようにそれぞれ設けられ、複数個の貫通部５４からは、透光部材６０に備えられる後述する複数個の凸部が前方側に向けて突出している。
【００１９】
透光部材６０は、透光性の合成樹脂材料によって形成され、指針４０の作動範囲に沿った略帯状の透明体である。
【００２０】
この透光部材６０は、表示板５０の背面に沿って帯状に延びる透明基部６１と、この透明基部６１から表示板５０を超えて突出することで、その突出端側が表示板５０の前方側に位置する透光部としての凸部６２とを備える。
【００２１】
凸部６２は、上述の指標部５１とともに指針４０の指示対象となるもので、表示板５０の貫通部５４の内径形状に対応した外径形状を有して複数形成され、貫通部５４に各々挿入されている。
【００２２】
なお、この場合、指針４０と表示板５０と透光部材６０とで表示手段Ｃが構成される。つまり、表示手段Ｃは、指針４０の指示対象となる指標部５１を有する表示板５０を少なくとも備える構成であると言える。また表示手段Ｃは、指針４０の指示対象となる複数個の凸部６２を有する透光部材６０と、各凸部６２に対応して各々開口形成された複数個の貫通部５４を有する表示板５０とを少なくとも備える構成であるとも言える。
【００２３】
そして、このように形成された透光部材６０は、その透明基部６１の底面がケース部材９０の後述する第２の反射部上に載置され、その前方から貫通部５４が凸部６２に嵌入されるように表示板５０が透光部材６０上に重ねられる。
【００２４】
これにより凸部６２は、貫通部５４を通じて表示板５０の前方側に突出し、指標部５１とともに指針４０の指示対象となる凸目盛を形成する。また透明基部６１のうち、前記第２の反射部と接触しない内周面は、後述する照明室内に臨み、表示用光源８０からの照明光を透光部材６０に取り入れるための受光部６３を形成する。
【００２５】
指針用光源７０は、例えば赤色光を発するチップ型発光ダイオードからなり、指針４０の前記回転中心部に対応するように回路基板１０上に複数個実装され、指針４０を赤色に発光させる発光体である。
【００２６】
表示用光源８０は、例えば白色光を発するチップ型発光ダイオードからなり、表示板５０の背後に配置されている。この場合、表示用光源８０は、ケース部材９０の後述する第１の反射部に対向配置するように回路基板１０上に実装され、指標部５１や凸部６２を白色に発光させる発光体である。
【００２７】
ケース部材９０は、例えば白色系の合成樹脂材料によって形成され、表示板５０を保持する保持体としての機能、指針用光源７０や表示用光源８０を収納するハウジングとしての機能、指針用光源７０や表示用光源８０からの照明光を前方側に反射させる反射体としての機能を有している。
【００２８】
このケース部材９０は、指針用光源７０を収納し指針４０の前記回転中心部に指針用光源７０からの照明光を供給するための筒状部９１と、この筒状部９１を取り巻くように表示板５０側に傾斜して延び表示用光源８０と対向する第１の反射部９２と、この第１の反射部９２と表示板５０とに対向し回転軸２０から離れるに従って表示板５０に近接する皿形状の環状壁からなる第２の反射部９３とを有している。
【００２９】
第１の反射部９２は、表示用光源８０からの照明光を主に外周に向けて放射状に反射する反射面を構成し、第２の反射部９３は、第１の反射部９２を通じて外周に反射された照明光を表示板５０や透光部材６０側に反射する反射面を構成している。また、この場合、表示板５０と筒状部９１と各反射部９２、９３と回路基板１０とで囲まれる空間は、表示用光源８０からの照明光を指標部５１や透光部材６０へと導くための照明室Ｓとなる。
【００３０】
計器ハウジング１００は、その主要部が指針４０や表示板５０の前方側に位置する上ケースとしての第１の筐体１１０と、その主要部が回路基板１０の背後側を覆う下ケースとしての第２の筐体１２０とを備える。
【００３１】
そして、第１の筐体１１０と第２の筐体１２０との間に形成される内部空間Ｔに、回路基板１０と駆動装置３０と表示手段Ｃとケース部材９０とが収容される。また、第１の筐体１１０は、フック固定等の適宜固定手段を用いて第２の筐体１２０と固定される。
【００３２】
第１の筐体１１０は、透光性の合成樹脂材料によって形成された透視部１１１と、遮光性（例えば黒色）の合成樹脂材料によって形成された不透過部としての不可視部１１２とを有している。この場合、例えば透視部１１１が不可視部１１２にインサート成型されることで、第１の筐体１１０を得ることができる。
【００３３】
透視部１１１は、前方側から表示手段Ｃを透視可能とする略平板状の透視パネルからなる。
【００３４】
不可視部１１２は、透視部１１１の周囲に設けられるものであり、図３に示すように透視部１１１の周囲に位置する前面壁部１１２ａと、この前面壁部１１２ａの周縁部分から背後側に向けて真っ直ぐ垂下形成された外側周壁部１１２ｂと、この外側周壁部１１２ｂのやや内側に位置する内側周壁部１１２ｃと、透視部１１１の背面に沿うように設けられ、前面壁部１１２ａと内側周壁部１１２ｃとを繋ぐ繋ぎ部１１２ｄとを備える。
【００３５】
外側周壁部１１２ｂは、表示板５０の側方を覆うように設けられる。内側周壁部１１２ｃは、繋ぎ部１１２ｄの内端縁から凸部６２を取り囲むように背後側に向けて真っ直ぐ垂下形成される。そして、この場合、内部空間Ｔ側となる透視部１１１の背面と内側周壁部１１２ｃ（不可視部１１２）の内壁部Ｆには、結露による曇り現象を防止するための防曇膜１３０が形成されている。
【００３６】
防曇膜１３０は、吸水性に富む透明な合成樹脂からなる防曇剤（例えば、アクリル系ブロックポリマーの液状の防曇剤）を透視部１１１の背面及び内側周壁部１１２ｃの内壁部Ｆに吹き付けることによって均一に塗布した後、加熱することで硬化させる。これにより膜状を成すように形成された防曇膜１３０を得ることができる。
【００３７】
第２の筐体１２０は、合成樹脂材料によって形成され、第１の筐体１１０と対をなすように設けられる。第２の筐体１２０は、回路基板１０の背後側を覆う底壁部１２１と、外側周壁部１１２ｂに対応して設けられる側壁部１２２とを備える。
【００３８】
以上の各部により車両用計器Ｄが構成される。このような構成において、表示用光源８０の点灯時には、その光がケース部材９０の第１、第２の反射部９２、９３を通じて照明室Ｓを伝播し、指標部５１が白色で発光表示される。また照明室Ｓを伝播する光の一部は、受光部６３を通じて透光部材６０内に入射し、凸部６２の先端側に至るため、凸部６２が白色で発光する。
【００３９】
ここで、本例の場合、防曇膜１３０の形成された内側周壁部１１２ｃの内壁部Ｆは、鏡のように光を反射する光反射面として機能する。つまり、凸部６２を取り囲むように設けられる内側周壁部１１２ｃの内壁部Ｆは、防曇膜１３０の形成された状態にあっては、上述のように光反射面となるため、例えば車両用計器Ｄを斜め方向から視認した際に個々の凸部６２が内壁部Ｆに反射像Ｚ（図３参照）として各々映り込み、視覚的演出効果のある車両用計器Ｄを提供することができる。
【００４０】
以上のように本実施形態では、内部空間Ｔに収容される表示手段Ｃを備え、第１の筐体１１０は、表示手段Ｃを透視可能とする透視部１１１と、この透視部１１１の周囲に設けられる不可視部１１２とを有し、内部空間Ｔ側となる内側周壁部１１２ｃ（不可視部１１２）の内壁部Ｆには防曇膜１３０が形成されているものである。また、表示手段Ｃは、指針４０の指示対象となる複数個の凸部６２を有する透光部材６０と、各凸部６２に対応して各々開口形成された複数個の貫通部５４を有する表示板５０とを少なくとも備えるものである。
【００４１】
従って、この防曇膜１３０の形成された内壁部Ｆが前記光反射面として機能し、例えば車両用計器Ｄを斜め方向から視認した際に個々の凸部６２が内壁部Ｆに反射像Ｚとして各々映り込むことから、視覚的演出効果が高められ、面白みや斬新さのある新規な見栄えを演出することが可能な車両用計器Ｄを提供することができる。
【００４２】
なお、本発明は、上述の実施形態及び図面によって限定されるものではない。本発明の要旨を変更しない範囲で、適宜、実施形態及び図面に変更（構成要素の削除も含む）を加えることが可能である。
【００４３】
上述した実施形態では、凸目盛としての凸部６２が貫通部５４を貫通し表示板５０の前方側に飛び出している例について説明したが、本発明はこれに限定されるものではない。
【００４４】
例えば本実施形態の変形例として図４に示すように透光部材６０と表示板５０に形成されていた貫通部５４とを廃止し、表示板５０において、前記速度数字に対応するように前記速度数字の外側に速度目盛５５を設けてもよい。
【００４５】
つまり、この変形例の場合、表示手段Ｃは、指針４０の指示対象となる指標部５１を有する表示板５０を少なくとも備える。ここでの指標部５１は、前記速度数字と速度目盛５５とで構成され、速度目盛５５は、例えば透光性の白色印刷層で形成される。そして、この変形例の場合であっても、表示用光源８０の点灯に伴って指標部５１が発光表示され、速度目盛５５等が内壁部Ｆに映り込むことから前記実施形態と同様の作用効果を得ることができる。
【００４６】
さらに、上述した実施形態では、内壁部Ｆに目盛が映り込むものであったが、内壁部Ｆに映り込むものは目盛に限らず、表示板５０に印刷等で形成される各種の表示物を適用することができる。
【００４７】
具体的には、ここでの詳細図示は省略するが、当該表示物として、あらゆる模様（表示意匠）を適用することができる。例えば前記実施形態のように表示手段Ｃが透光部材６０と表示板５０とを少なくとも備えた構成において、図１中、個々の凸部６２の周囲となる表示板５０箇所（背景部５２箇所）に何かしらの模様を設けることで、当該模様が（凸部６２とともに）内壁部Ｆに映り込み、前記実施形態と同様の作用効果を得ることができる。なお、この模様を映り込ませる構成を採用するにあたっては、上述の変形例にも適用できることは言うまでもない。
【符号の説明】
【００４８】
１０    回路基板
４０    指針
５０    表示板
５１    指標部
５４    貫通部
５５    速度目盛
６０    透光部材
６１    透明基部
６２    透光部
９０    ケース部材
１００    計器ハウジング
１１０    第１の筐体
１１１    透視部
１１２    不可視部
１１２ａ  前面壁部
１１２ｂ  外側周壁部
１１２ｃ  内側周壁部
１１２ｄ  繋ぎ部
１２０    第２の筐体
１３０    防曇膜
Ｃ    表示手段
Ｆ    内壁部
Ｓ    照明室
Ｔ    内部空間
Ｚ    反射像
【図１】
2019184383.tif 000003
【図２】
2019184383.tif 000004
【図３】
2019184383.tif 000005
【図４】
2019184383.tif 000006